(57)【特許請求の範囲】
【請求項１】
ユーザ機器（ＵＥ）へのデータ送信のために基地局によって、異なるリソースブロックのために、擬似ランダムに選択された１組のプリコーディング行列が使用されるという想定に基づいて、前記ＵＥによってチャネル品質インジケータ（ＣＱＩ）を決定することと、
前記ＵＥから前記基地局に前記ＣＱＩを送ることと
を備える無線通信のための方法。
【請求項２】
前記ＣＱＩに基づいて前記基地局によって前記ＵＥに送られるデータ送信を受信することであって、前記データ送信が、送信ダイバーシティを得るために複数のプリコーディング行列を使用して送られること
をさらに備える請求項１に記載の方法。
【請求項３】
前記ＣＱＩを決定することが、
前記ＵＥへのデータ送信に利用できる１組の時間／周波数リソースについての前記１組のプリコーディング行列を決定することと、
前記１組の時間／周波数リソースについての前記１組のプリコーディング行列を使用して前記ＣＱＩを決定することと
を備える請求項１に記載の方法。
【請求項４】
前記１組のプリコーディング行列を決定することが、前記１組の時間／周波数リソースについてのランダムなプリコーディング行列を選択することを備え、前記１組のプリコーディング行列が、前記ランダムなプリコーディング行列を備える請求項３に記載の方法。
【請求項５】
前記１組のプリコーディング行列を決定することが、前記１組の時間／周波数リソースのそれぞれに指定されたプリコーディング行列を使用することを備え、前記１組のプリコーディング行列が、時間／周波数リソースごとに前記指定されたプリコーディング行列を備える請求項３に記載の方法。
【請求項６】
前記１組の時間／周波数リソースが１組のリソースブロックに対応し、前記１組のプリコーディング行列における１つのプリコーディング行列が、前記１組のリソースブロックにおける各リソースブロックに使用される請求項３に記載の方法。
【請求項７】
前記１組の時間／周波数リソースについての前記１組のプリコーディング行列を使用して前記ＣＱＩを決定することが、
前記１組のプリコーディング行列における前記時間／周波数リソースについてのプリコーディング行列に基づいて、前記複数の時間／周波数リソースのそれぞれの受信信号品質を決定することと、
前記１組の時間／周波数リソースの受信信号品質に基づいて前記ＣＱＩを決定することと
を備える請求項３に記載の方法。
【請求項８】
時間／周波数リソースのそれぞれの前記受信信号品質を決定することが、
前記時間／周波数リソースについての前記基地局から前記ＵＥへのワイヤレスチャネルのためのチャネル行列を推定することと、
前記時間／周波数リソースについての前記推定されたチャネル行列および前記プリコーディング行列に基づいて、有効なチャネル行列を決定することと、
前記有効なチャネル行列に基づいて、前記時間／周波数リソースの前記受信信号品質を推定することと
を備える請求項７に記載の方法。
【請求項９】
前記１組の時間／周波数リソースの前記受信信号品質に基づいて前記ＣＱＩを決定することが、
平均の受信信号品質を取得するために、前記１組の時間／周波数リソースの前記受信信号品質を平均することと、
前記平均された受信信号品質に基づいて前記ＣＱＩを決定することと
を備える請求項７に記載の方法。
【請求項１０】
複数のランクのそれぞれについて１組のプリコーディング行列を決定することと、
前記ランクの前記１組のプリコーディング行列に基づいて、前記複数のランクのそれぞれのメトリックを決定することと、
各ランクの前記メトリックに基づいて、前記複数のランクのうちの１つを選択することと
をさらに備え、前記ＣＱＩが、前記選択されたランクの前記１組のプリコーディング行列に基づいて決定される
請求項１に記載の方法。
【請求項１１】
前記基地局に前記選択されたランクを表すランクインジケータ（ＲＩ）を送ることと、
前記ＣＱＩに基づいて、前記基地局によって前記ＵＥに送られたＬ個のデータパケットを備えるデータ送信を受信することであって、Ｌは前記選択されたランクに基づいて決定されることと
をさらに備える請求項１０に記載の方法。
【請求項１２】
ユーザ機器（ＵＥ）へのデータ送信のために基地局によって、異なるリソースブロックのために、擬似ランダムに選択された１組のプリコーディング行列が使用されるという想定に基づいて、チャネル品質インジケータ（ＣＱＩ）を決定するための手段と、
前記ＵＥから前記基地局に前記ＣＱＩを送るための手段と
を備えるワイヤレス通信のための装置。
【請求項１３】
前記ＣＱＩに基づいて前記基地局によって前記ＵＥに送られるデータ送信を受信するための手段であって、前記データ送信が、送信ダイバーシティを得るために複数のプリコーディング行列を使用して送られる、手段
をさらに備える請求項１２に記載の装置。
【請求項１４】
前記ＣＱＩを決定するための前記手段が、
前記ＵＥへのデータ送信に利用できる１組の時間／周波数リソースについての前記１組のプリコーディング行列を決定するための手段と、
前記１組の時間／周波数リソースについての前記１組のプリコーディング行列を使用して前記ＣＱＩを決定するための手段と
を備える請求項１２に記載の装置。
【請求項１５】
前記１組の時間／周波数リソースについての前記１組のプリコーディング行列を使用して前記ＣＱＩを決定するための前記手段が、
前記１組のプリコーディング行列における前記時間／周波数リソースについてのプリコーディング行列に基づいて、前記複数の時間／周波数リソースのそれぞれの受信信号品質を決定するための手段と、
前記１組の時間／周波数リソースの受信信号品質に基づいて前記ＣＱＩを決定するための手段と
を備える請求項１４に記載の装置。
【請求項１６】
複数のランクのそれぞれについて１組のプリコーディング行列を決定するための手段と、
前記ランクの前記１組のプリコーディング行列に基づいて、前記複数のランクのそれぞれのメトリックを決定するための手段と、
各ランクの前記メトリックに基づいて、前記複数のランクのうちの１つを選択するための手段であって、前記ＣＱＩが、前記選択されたランクの前記１組のプリコーディング行列に基づいて決定される、手段と
をさらに備える請求項１２に記載の装置。
【請求項１７】
ユーザ機器（ＵＥ）へのデータ送信のために基地局によって、異なるリソースブロックのために、擬似ランダムに選択された１組のプリコーディング行列が使用されるという想定に基づいて、チャネル品質インジケータ（ＣＱＩ）を決定し、前記ＵＥから前記基地局に前記ＣＱＩを送るように構成された少なくとも１つのプロセッサ
を備えるワイヤレス通信のための装置。
【請求項１８】
前記少なくとも１つのプロセッサが、前記ＣＱＩに基づいて前記基地局によって前記ＵＥに送られるデータ送信を受信するように構成され、前記データ送信が、送信ダイバーシティを得るために複数のプリコーディング行列を使用して送られる請求項１７に記載の装置。
【請求項１９】
前記少なくとも１つのプロセッサが、前記ＵＥへのデータ送信に利用できる１組の時間／周波数リソースについての前記１組のプリコーディング行列を決定し、前記１組の時間／周波数リソースについての前記１組のプリコーディング行列を使用して前記ＣＱＩを決定するように構成された請求項１７に記載の装置。
【請求項２０】
前記少なくとも１つのプロセッサが、前記１組のプリコーディング行列における前記時間／周波数リソースについてのプリコーディング行列に基づいて、前記複数の時間／周波数リソースのそれぞれの受信信号品質を決定し、前記１組の時間／周波数リソースの受信信号品質に基づいて前記ＣＱＩを決定するように構成された請求項１９に記載の装置。
【請求項２１】
前記少なくとも１つのプロセッサが、複数のランクのそれぞれについて１組のプリコーディング行列を決定し、前記ランクの前記１組のプリコーディング行列に基づいて、前記複数のランクのそれぞれのメトリックを決定し、各ランクの前記メトリックに基づいて、前記複数のランクのうちの１つを選択し、前記選択されたランクの前記１組のプリコーディング行列に基づいて前記ＣＱＩを決定するように構成された請求項１７に記載の装置。
【請求項２２】
ユーザ機器（ＵＥ）へのデータ送信のために基地局によって、異なるリソースブロックのために、擬似ランダムに選択された１組のプリコーディング行列が使用されるという想定に基づいて、チャネル品質インジケータ（ＣＱＩ）を決定する手順と、
前記ＵＥから前記基地局に前記ＣＱＩを送る手順と
をコンピュータに実行させるためのプログラム。
【請求項２３】
ユーザ機器（ＵＥ）へのデータ送信のために基地局によって、異なるリソースブロックのために、擬似ランダムに選択された１組のプリコーディング行列が使用されるという想定に基づいて、前記ＵＥによって決定されたチャネル品質インジケータ（ＣＱＩ）を受信することと、
前記ＣＱＩに基づいて前記基地局から前記ＵＥにデータ送信を送ることと
を備えるワイヤレス通信のための方法。
【請求項２４】
前記データ送信を送ることが、
前記ＣＱＩに基づいて少なくとも１つの変調および符号化方式（ＭＣＳ）を選択することと、
前記少なくとも１つのＭＣＳに基づいて前記ＵＥのためのデータを処理することと
を備える請求項２３に記載の方法。
【請求項２５】
前記１組のプリコーディング行列における少なくとも１つのプリコーディング行列を含む複数のプリコーディング行列に基づいて、前記データ送信についてのプリコーディングを行うこと
をさらに備える請求項２３に記載の方法。
【請求項２６】
前記１組のプリコーディング行列に入っていないプリコーディング行列を少なくとも１つ含む複数のプリコーディング行列に基づいて、前記データ送信についてのプリコーディングを行うこと
をさらに備える請求項２３に記載の方法。
【請求項２７】
前記ＣＱＩが、前記ＵＥへのデータ送信に利用できる１組の時間／周波数リソースについての前記１組のプリコーディング行列を使用して前記ＵＥによって決定される請求項２３に記載の方法。
【請求項２８】
前記ＵＥから定期的に受信された前記ＣＱＩを平均することをさらに備え、前記データ送信を送ることが、前記平均されたＣＱＩに基づいて前記データ送信を送ることを備える
請求項２３に記載の方法。
【請求項２９】
バックオフに基づいて前記ＣＱＩを調整することをさらに備え、前記データ送信を送ることが、前記調整されたＣＱＩに基づいて前記データ送信を送ることを備える
請求項２３に記載の方法。
【請求項３０】
前記ＵＥによって選択されたランクを表すランクインジケータ（ＲＩ）を受信することをさらに備え、前記データ送信を送ることが、前記データ送信のためのＬ個のデータパケットを送ることを備え、Ｌは前記選択されたランクに基づいて決定される
請求項２３に記載の方法。
【請求項３１】
前記１組の時間／周波数リソースの少なくともサブセットにおけるデータ送信に前記ＵＥをスケジュールすること
をさらに備える請求項２７に記載の方法。
【請求項３２】
前記ＵＥおよび少なくとも１つの他のＵＥを、前記基地局によるマルチユーザ多入力多出力（ＭＵ−ＭＩＭＯ）送信にスケジュールすること
をさらに備える請求項２３に記載の方法。
【請求項３３】
前記ＵＥおよび少なくとも１つの他のＵＥを、前記基地局の少なくとも１つのセルを含む複数のセルによる協調マルチポイント（ＣｏＭＰ）送信にスケジュールすること
をさらに備える請求項２３に記載の方法。
【請求項３４】
ユーザ機器（ＵＥ）へのデータ送信のために基地局によって、異なるリソースブロックのために、擬似ランダムに選択された１組のプリコーディング行列が使用されるという想定に基づいて、前記ＵＥによって決定されたチャネル品質インジケータ（ＣＱＩ）を受信するための手段と、
前記ＣＱＩに基づいて前記基地局から前記ＵＥにデータ送信を送るための手段と
を備えるワイヤレス通信のための装置。
【請求項３５】
前記１組のプリコーディング行列における少なくとも１つのプリコーディング行列を含む複数のプリコーディング行列に基づいて、前記データ送信についてのプリコーディングを行うための手段
をさらに備える請求項３４に記載の装置。
【請求項３６】
前記１組のプリコーディング行列に入っていないプリコーディング行列を少なくとも１つ含む複数のプリコーディング行列に基づいて、前記データ送信についてのプリコーディングを行うための手段
をさらに備える請求項３４に記載の装置。
【請求項３７】
前記ＵＥから定期的に受信された前記ＣＱＩを平均するための手段をさらに備え、前記データ送信を送るための前記手段が、前記平均されたＣＱＩに基づいて前記データ送信を送るための手段を備える
請求項３４に記載の装置。
【請求項３８】
前記ＵＥによって選択されたランクを表すランクインジケータ（ＲＩ）を受信するための手段をさらに備え、前記データ送信を送るための前記手段が、前記データ送信のためのＬ個のデータパケットを送るための手段を備え、Ｌは前記選択されたランクに基づいて決定される
請求項３４に記載の装置。
【発明の詳細な説明】
【技術分野】
【０００１】
本出願は、この譲受人に譲渡されており、参照により本明細書に組み込まれる、２００９年６月２９日出願の「ＦＥＥＤＢＡＣＫ  ＭＯＤＥＳ  ＩＮ  ＳＵＰＰＯＲＴ  ＯＦ  ＤＬ  ＴＲＡＮＳＭＩＳＳＩＯＮ  ＩＮ  ＬＴＥ−Ａ」という名称の米国仮出願第６１／２２１,４７８号の優先権を主張する。
【０００２】
本開示は、一般に通信に関し、より詳細には、ワイヤレス通信システムにおけるチャネル情報を報告するための技法に関する。
【背景技術】
【０００３】
音声、ビデオ、パケットデータ、メッセージング、ブロードキャストなどの様々な通信コンテンツを提供するために、ワイヤレス通信システムが広く展開されている。これらのワイヤレス通信システムは、使用可能なシステムリソースを共有することによって、複数のユーザをサポートすることができる多元接続システムとすることができる。こうした多元接続システムの例には、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、およびシングルキャリアＦＤＭＡ（ＳＣ−ＦＤＭＡ）システムなどがある。
【０００４】
ワイヤレス通信システムは、いくつかのユーザ機器（ＵＥ）の通信をサポートすることができるいくつかの基地局を含み得る。ＵＥは、ダウンリンクおよびアップリンクを介して基地局と通信することができる。ダウンリンク（すなわち順方向リンク）は、基地局からＵＥへの通信リンクを指し、アップリンク（すなわち逆方向リンク）は、ＵＥから基地局への通信リンクを指す。
【０００５】
基地局は、ワイヤレスチャネルを介してＵＥにデータを送信することができる。良好なパフォーマンスは、ＵＥにワイヤレスチャネルを推定させ、チャネル情報を基地局に報告させることによって達成することができる。次いで基地局は、報告されたチャネル情報に基づいてデータを送信し得る。ワイヤレスチャネルの特性は、フェージング、マルチパス、干渉など、様々な要因によって時間とともに変化し得る。さらに、ＵＥはモバイルでもよく、ＵＥがあちこち移動するにつれて、異なるチャネルを観察することができる。したがって、当分野では、ワイヤレス通信システムにおいてチャネル情報を正確に報告するための技法が必要である。
【発明の概要】
【０００６】
ワイヤレス通信システムにおいてチャネル品質インジケータ（ＣＱＩ）を報告するための技法が本明細書に記載されている。一態様において、送信ダイバーシティが望まれるとき、いくつかの動作シナリオ（高移動度のシナリオなど）下でのＣＱＩ報告に、開ループ報告モードを使用することができる。開ループ報告モードによって、より正確なＣＱＩの報告が可能になり、データ送信のパフォーマンスが向上し得る。
【０００７】
ある設計において、ＵＥは、ＵＥへのデータ送信のために基地局によって１組のプリコーディング行列が使用されるという想定に基づいて、ＣＱＩを決定することができる。基地局は、ＵＥによって想定されるプリコーディング行列の組を実際に使用してもよく、または使用しなくてもよい。ＵＥは、プリコーディング行列の組を伝えるためのフィードバックを送らない。ＵＥは、基地局にＣＱＩを送ることができ、その後、ＣＱＩに基づいて基地局によってＵＥに送られるデータ送信を受信することができる。送信ダイバーシティを得るために、複数のプリコーディング行列によるプリコーディングによって、データ送信が送られ得る。基地局によって使用される複数のプリコーディング行列には、ＵＥによって想定されるプリコーディング行列の組におけるプリコーディング行列のうちゼロ、いくつか、またはすべてが含まれていてもよい。
【０００８】
ある設計において、ＵＥは、ＵＥへのデータ送信に利用できる１組の時間／周波数リソース（例えば、１組のリソースブロック）のためのプリコーディング行列の組を決定することができる。ＵＥは、その時間／周波数リソースについてのプリコーディング行列に基づいて、各時間／周波数リソースの受信信号品質を決定することができる。次いで、ＵＥは、時間／周波数リソースの組の受信信号品質に基づいて、ＣＱＩを決定することができる。
【０００９】
ある設計において、ＵＥは、ＵＥへのデータ送信に使用され得る異なる可能なランクを評価することができる。ＵＥは、可能なランクごとに１組のプリコーディング行列を決定することができる。ＵＥは、そのランクのプリコーディング行列の組に基づいて、ランクごとにメトリックを決定することができる。ＵＥは、すべてのランクのメトリックに基づいて、可能なランクのうちの１つを選択することができる。次いで、ＵＥは、選択されたランクのプリコーディング行列の組に基づいて、選択されたランクのＣＱＩを決定することができる。ＵＥは、選択されたランクを表すランクインジケータ（ＲＩ）を基地局に送ることができる。基地局は、ＵＥにＬ個のデータパケットを備えるデータ送信を送ることができ、Ｌは、選択されたランクに基づいてもよい。
【００１０】
本開示の様々な態様および特徴について、以下でさらに詳述する。
【図面の簡単な説明】
【００１１】
【図１】ワイヤレス通信システムを示す図。
【図２】リソース構造例を示す図。
【図３】サブフレームフォーマット例を示す図。
【図４】閉ループ報告モードの動作を示す図。
【図５】開ループ報告モードの動作を示す図。
【図６】ＣＱＩを報告するためのプロセスを示す図。
【図７】ＣＱＩを報告するための装置を示す図。
【図８】ＣＱＩを受信するためのプロセスを示す図。
【図９】ＣＱＩを受信するための装置を示す図。
【図１０】基地局およびＵＥのブロック図。
【発明を実施するための形態】
【００１２】
本明細書に記載されている技法は、ＣＤＭＡ、ＴＤＭＡ、ＦＤＭＡ、ＯＦＤＭＡ、ＳＣ−ＦＤＭＡ、および他のシステムなど、様々なワイヤレス通信システムに使用することができる。「システム」および「ネットワーク」という用語は、しばしば同義で使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、広帯域ＣＤＭＡ（ＷＣＤＭＡ）と、ＣＤＭＡの他の異型とを含む。ｃｄｍａ２０００は、ＩＳ−２０００、ＩＳ−９５、およびＩＳ−８５６標準をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰロングタームエボリューション（ＬＴＥ）および拡張ＬＴＥ（ＬＴＥ−Ａ）は、Ｅ−ＵＴＲＡを使用するＵＭＴＳの新しいリリースであり、これはダウンリンクにおいてＯＦＤＭＡを、およびアップリンクにおいてＳＣ−ＦＤＭＡを使用する。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名前の組織からの文書に記載されている。ｃｄｍａ２０００およびＵＭＢは、「第３世代パートナーシッププロジェクト２」（３ＧＰＰ２）という名前の組織からの文書に記載されている。本明細書に記載されている技法は、上述のシステムおよび無線技術、並びに他のシステムおよび無線技術に使用することができる。明確にするために、以下では、技法のいくつかの態様では、ＬＴＥに関して説明し、下記の説明の多くにおいてＬＴＥ用語が使用される。
【００１３】
図１は、ＬＴＥシステムまたは他の何らかのシステムとすることができるワイヤレス通信システム１００を示す。システム１００は、いくつかの進化型ノードＢ（ｅＮＢ）１１０と、他のネットワークエンティティとを含み得る。ｅＮＢは、ＵＥと通信するエンティティでもよくて、ノードＢ、基地局、アクセスポイントなどとも呼ばれ得る。各ｅＮＢは、特定の地理的エリアの通信カバレッジを提供することができ、カバレッジエリア内にあるＵＥの通信をサポートすることができる。システム容量を向上させるために、ｅＮＢの全カバレッジエリアを、複数（例えば３つ）のより小さいエリアに区切ることができる。より小さい各エリアは、それぞれのｅＮＢサブシステムによってサービス提供され得る。３ＧＰＰにおいて、「セル」という用語は、ｅＮＢの最小のカバレッジエリアおよび／またはこのカバレッジエリアにサービス提供するｅＮＢサブシステムを指すことができる。
【００１４】
いくつかのＵＥを、システム全体にわたって分散することができ、各ＵＥは固定であってもモバイルであってもよい。ＵＥは、移動局、端末、アクセス端末、加入者ユニット、ステーションなどとも呼ばれ得る。ＵＥは、携帯電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）ステーション、スマートフォン、ネットブック、スマートブックなどとすることができる。
【００１５】
ＬＴＥは、ダウンリンクにおいて直交周波数分割多元接続（ＯＦＤＭ）を、また、アップリンクにおいてシングルキャリア周波数分割多元接続（ＳＣ−ＦＤＭ）を使用する。ＯＦＤＭおよびＳＣ−ＦＤＭは、周波数範囲を複数（ＮFFT）の直交副搬送波に区切り、これらは一般にトーン、ビンなどとも呼ばれる。各副搬送波は、データで変調され得る。一般に、変調シンボルは、ＯＦＤＭでは周波数ドメインで、ＳＣ−ＦＤＭでは時間ドメインで送られる。隣接する副搬送波間の間隔は、固定とすることができ、副搬送波の合計数（ＮFFT）は、システム帯域幅に依存していてもよい。例えば、ＮFFTは、１．２５、２．５、５、１０、または２０メガヘルツ（ＭＨｚ）のシステム帯域幅では、それぞれ１２８、２５６、５１２、１０２４、または２０４８に等しくなり得る。システム帯域幅は、サブバンドに区切ることもでき、各サブバンドは、例えば１．２５ＭＨｚなど、周波数の範囲をカバーすることができる。システム帯域幅は、帯域幅パーツに区切ることもでき、各帯域幅パーツは、例えば整数のサブバンドなど、構成可能な周波数範囲をカバーすることができる。
【００１６】
図２は、ＬＴＥで使用するリソース構造２００の例を示す。送信タイムラインは、サブフレームの単位に区切ることができる。各サブフレームは、所定の持続時間（例えば１ミリ秒（ｍｓ））を有することができ、２つのスロットに区切ることができる。各スロットは、Ｓ個のシンボル期間、例えば、通常のサイクリックプリフィックスでは７シンボル期間、または拡張されたサイクリックプリフィックスでは６シンボル期間を含むことができる。
【００１７】
ＮRB個のリソースブロック（ＲＢ）を、ＮFFT個の合計副搬送波を有するスロットごとに定義することができ、これは、物理リソースブロック（ＰＲＢ）とも呼ばれ得る。各スロットにおけるリソースブロックの数は、システム帯域幅に依存する可能性があり、１．２５〜２０ＭＨｚのシステム帯域幅では、それぞれ６から１１０に及び得る。各リソースブロックは、１つのスロットにおいて１２の副搬送波をカバーすることができ、いくつかのリソース要素を含むことができる。各リソース要素は、１つのシンボル期間において１つの副搬送波をカバーすることができ、１つの変調シンボルを送信するために使用することができ、これは実数値または複素数値でもよい。
【００１８】
図３は、通常のサイクリックプリフィックスでのダウンリンクについてのサブフレームフォーマット３００の例を示す。サブフレームフォーマット３００は、４つのアンテナを備えるｅＮＢに使用され得る。セル固有の基準信号（ＣＲＳ）は、シンボル期間０、４、７、および１１においてアンテナ０および１から、並びにシンボル期間１および８においてアンテナ２および３から送信され得る。基準信号は、送信機および受信機によって演繹的に知られている信号であり、パイロットとも呼ばれ得る。ＣＲＳは、例えば、セル識別（ＩＤ）に基づいて生成される、セルに固有の基準信号である。図３において、ｔ＝０、１、２、または３として、ラベルＲtを有するリソース要素が与えられると、そのリソース要素において、アンテナｔから変調シンボルを送信することができ、そのリソース要素において、他のアンテナから変調シンボルを送信することができない。データおよび／または制御情報を送信するために、ＣＲＳに使用されないリソース要素が使用され得る。
【００１９】
システムは、高スペクトル効率を達成するために、マルチアンテナ送信技法をサポートすることができる。これらのマルチアンテナ送信技法には、シングルユーザ多入力多出力（ＳＵ−ＭＩＭＯ）、マルチユーザＭＩＭＯ（ＭＵ−ＭＩＭＯ）、および協調マルチポイント（coordinated multi-point：ＣｏＭＰ）などがあり、表１に簡単に示される。ＭＵ−ＭＩＭＯは、セル内ＭＵ−ＭＩＭＯまたは空間分割多元接続（ＳＤＭＡ）とも呼ばれ得る。ＣｏＭＰは、セル間ＭＵ−ＭＩＭＯとも呼ばれ得る。
【表１】
0005642782.tif 000002
【００２０】
ＵＥは、チャネル情報を決定することができ、マルチアンテナ送信技法をサポートするために、この情報をそのサービングｅＮＢに報告することができる。一般に、チャネル情報は、受信機にデータを送信するために送信機によって使用され得る任意の情報を備え得る。チャネル情報は、チャネル品質インジケータ（ＣＱＩ）、ランクインジケータ（ＲＩ）、プリコーディング行列インジケータ（ＰＭＩ）などを備え得る。ＣＱＩは、送信機から受信機への通信チャネルの質を表し得る。ＲＩは、受信機に同時に送信するデータストリームの数を表し得る。各データストリームは、コードワード、データパケット、トランスポートブロック、空間チャネルなどに対応し得る。ＰＭＩは、受信機への送信の前にデータを空間的に処理（またはプリコード）するために使用するプリコーディング行列を表し得る。プリコーディング行列は、データ送信を受信機の方に向ける、および／または他の受信機から離すことができる空間ビームに対応し得る。
【００２１】
一態様において、チャネル情報を報告するために、複数の報告モードをサポートすることができ、複数の報告モードには、閉ループ報告モード、および開ループ報告モードがあり得る。表２は、２つの報告モードのそれぞれの概要を提供する。閉ループ報告モードは、低移動度のＵＥに使用することができ、また、例えば相関アンテナ構成のために、持続的な空間特性を有する高移動度のＵＥに使用することもできる。開ループ報告モードは、高移動度のＵＥに使用することができ、また、ＰＭＩのフィードバックが使用できないときに使用することもできる。
【表２】
0005642782.tif 000003
【００２２】
図４は、ＳＵ−ＭＩＭＯでの閉ループ報告モードの動作を示す。ｅＮＢは、ダウンリンクにおいてチャネル状態情報基準信号（ＣＳＩ−ＲＳ）および／またはＣＲＳを送信することができる（ステップ１）。ＣＳＩ−ＲＳは、すべての送信アンテナから送られる基準信号であり、ＣＱＩ測定に使用され得る。ＵＥは、ｅＮＢからＣＳＩ−ＲＳおよび／またはＣＲＳを受信することができ、ｅＮＢからＵＥへのワイヤレスチャネルを評価することができる。例えば、ＵＥは、ＣＳＩ−ＲＳおよび／またはＣＲＳに基づいてチャネル推定を取得することができ、ＵＥへのデータ送信に使用され得る異なるランクの異なる可能なプリコーディング行列を評価することができる。プリコーディング行列のコードブックは、可能なランクごとにサポートすることができ、各プリコーディング行列に、一意のインデックスを割り当てることができる。所与のランクの可能なプリコーディング行列ごとに、ＵＥは、そのプリコーディング行列のメトリック（例えば、スペクトル効率、スループットなど）を決定することができる。ＵＥは、最適なメトリックによりプリコーディング行列を選択することができ、選択されたプリコーディング行列に基づいてＰＭＩおよびＲＩを決定することができ、選択されたプリコーディング行列によりＣＱＩを決定することができる（ステップ２）。ＰＭＩは、選択されたプリコーディング行列のインデックスを備え得る。次いでＵＥは、ＰＭＩ、ＲＩ、およびＣＱＩを備えるチャネル情報をｅＮＢに送ることができる（ステップ３）。ＵＥは、対象の周波数単位ごとに、広帯域（例えば、全体的なシステム帯域幅）または狭帯域のためのチャネル情報を決定し、報告することができる。各周波数単位は、サブバンド、または帯域幅パーツ、または他の何らかの周波数単位に対応し得る。
【００２３】
ｅＮＢは、報告されたＰＭＩ、ＲＩ、およびＣＱＩを使用して、データをＵＥに送信することができる（ステップ４）。例えば、ｅＮＢは、報告されたＲＩに基づいて送信すべきパケットまたはコードワードの数を決定することができ、報告されたＣＱＩに基づいて決定された変調および符号化方式（ＭＣＳ）に基づいて各パケットをコード化し、変調することができる。ｅＮＢは、報告されたＰＭＩに基づいてデータにプリコーディングを実行することもできる。
【００２４】
ＳＵ−ＭＩＭＯ、ＭＵ−ＭＩＭＯ、およびＣｏＭＰには閉ループ報告モードが使用され得る。ＳＵ−ＭＩＭＯでは、ＵＥは、すべての可能なプリコーディング行列の中で最適なメトリックによりプリコーディング行列を選択することができ、選択されたプリコーディング行列に基づいてＲＩおよびＣＱＩを決定することができる。ｅＮＢがＵＥによって選択され、ＰＭＩを介してｅＮＢに送信されるプリコーディング行列を使用する場合、ＣＱＩはチャネル品質の正確な推定であり得る。
【００２５】
ＭＵ−ＭＩＭＯでは、ｅＮＢは、複数のＵＥに同時に送信することができる。各ＵＥは、ＳＵ−ＭＩＭＯと同様の方法でｅＮＢからそのＵＥへのワイヤレスチャネルを評価することができ、ＰＭＩ、ＲＩ、およびＣＱＩをｅＮＢに報告することができる。ｅＮＢは、１組のＵＥを、ＭＵ−ＭＩＭＯでデータ送信するようスケジュールすることができる。データがこれらのＵＥに向けられるように、ｅＮＢは、すべてのスケジュールされたＵＥからのＰＭＩに基づいてプリコーディング行列を選択することができる。例えば、プリコーディング行列は、すべてのスケジュールされたＵＥの好適なビームとできるだけ一致するように選択され得る。あるいは、またはさらに、ｅＮＢは、スケジュールされたＵＥからのＰＭＩに基づいてスケジュールされたＵＥへのマルチユーザ（ＭＵ）干渉を最低限に抑えるプリコーディング行列を選択することができる。次いでｅＮＢは、選択されたプリコーディング行列を使用して、データをスケジュールされたＵＥに送信することができる。
【００２６】
ＭＵ−ＭＩＭＯでは、各ＵＥは、他のスケジュールされたＵＥについての知識なしに、ｅＮＢへのそのワイヤレスチャネルに最適なプリコーディング行列を選択することができ、選択されたプリコーディング行列に基づいてＲＩおよびＣＱＩを決定することができる。各ＵＥは、ｅＮＢによってスケジューリングの決定の前に他の共同でスケジュールされたＵＥおよびそれらの好適なビームに関する情報を有していないことがある。各ＵＥは、ＣＱＩおよびＲＩを決定するとき、ｅＮＢによって選択されるプリコーディング行列に起因する短期的なマルチユーザ干渉を正確に推定することができないことがある。ｅＮＢは、そのスケジューリングの決定に基づいて、スケジュールされたＵＥのＲＩのおよび／またはＣＱＩに対して調整を行うことができる。例えば、ｅＮＢは、ＵＥによって報告されるＰＭＩに基づいてＭＵ干渉を予測することができ、ＭＵ−ＭＩＭＯまたはＳＵ−ＭＩＭＯスケジューリングがより良好なパフォーマンスを提供するかどうかを決定することができる。一旦ＭＵ干渉が決定されると、ｅＮＢは、ＵＥによって報告されるＣＱＩからざっと推定することができる（例えば、他のセルプラス熱雑音からの）残りの干渉成分にＭＵ干渉成分を追加することによって、ＵＥによって観察される全体的な干渉を推定することができる。
【００２７】
スケジュールされたＵＥごとに、ｅＮＢは、そのＵＥについての受信されたまたは調整されたＲＩおよびＣＱＩに基づいて、コードワードの数、並びにコードワードごとの変調および符号化方式を選択することができる。スケジュールされた各ＵＥのためにｅＮＢによって使用されるＣＱＩと、そのＵＥによって観察される実際のＣＱＩとの間に、いくらかのエラーがある場合がある。これらのエラーは、ハイブリッド自動再送（ＨＡＲＱ）によって考慮に入れることができる。ダウンリンクにおけるＨＡＲＱでは、ｅＮＢは、コードワードの送信を送ることができ、コードワードがＵＥによって正しくデコードされるまで、最大数の送信が送られるまで、または他の何らかの終了条件に遭遇するまで、必要に応じて、コードワードの１つまたは複数の追加の送信を送ることができる。
【００２８】
ＣｏＭＰでは、１つまたは複数のｅＮＢの複数のセルは、１つまたは複数のＵＥにデータを同時に送信することができる。各ＵＥは、ＳＵ−ＭＩＭＯの場合と同様の方法で異なるセルからそのＵＥへのワイヤレスチャネルを評価することができ、ＰＭＩ、ＲＩ、およびＣＱＩをサービングセルに報告することができる。１組のＵＥを、ＣｏＭＰによる複数のセルからのデータ送信にスケジュールすることができる。データがこれらのＵＥに向けられるように、すべてのスケジュールされたＵＥからのＰＭＩに基づいて、スケジュールされたＵＥについてセルごとにプリコーディング行列を選択することができる。各セルは、そのセルのために選択されたプリコーディング行列を使用して、スケジュールされたＵＥにデータを送信することができる。複数のセルは、同じまたは異なる送信電力レベルで、データをスケジュールされたＵＥに送信することができる。
【００２９】
ＣｏＭＰでは、各ＵＥは、他のどのＵＥがそのＵＥと共にスケジュールされているか、これらの他のＵＥの好適なビーム、異なるＵＥのためにセルによって使用される送信電力レベルなど、他の情報についての知識なしに、異なるセルに対するそのワイヤレスチャネルに最適なプリコーディング行列を選択することができる。各ＵＥは、そのＵＥによって選択されたプリコーディング行列に基づいて、ＲＩおよびＣＱＩを決定することができる。各ＵＥは、スケジューリングの決定の前に他の共同でスケジュールされたＵＥおよびそれらの好適なビームに関する情報を有していないことがある。したがって、各ＵＥは、ＣＱＩおよびＲＩを決定するとき、短期的なマルチユーザ干渉を正確に推定することができないことがある。スケジューリングの決定に基づいて、スケジュールされたＵＥのＲＩおよび／またはＣＱＩを調整することができる。
【００３０】
ＭＵ−ＭＩＭＯとＣｏＭＰの両方では、そのｅＮＢによる実際のデータ送信の前にプリコードされた基準信号を各ｅＮＢに送信させることによって、ＵＥによるより正確なＣＱＩ報告を達成することができる。その後のデータ送信に使用されるプリコーディング行列に基づいて、プリコードされた基準信号を生成することができる。各ＵＥは、（異なる可能なプリコーディング行列を評価せず）プリコードされた基準信号に基づいて、ＲＩおよびＣＱＩを決定することができる。ｅＮＢは、バックホールを介してこれらのｅＮＢによって選択されるプリコーディング行列を表すプリコーディング情報を交換することもできる。プリコードされた基準信号の使用によって、ＵＥは、短期的な干渉状態をより正確に推定することができ得る。これによって、次いで、ＵＥによるより正確なＲＩおよびＣＱＩ報告、ＵＥからのＲＩ／ＣＱＩ報告に基づいて一緒にスケジュールすべきＵＥのより良好な選択、並びにスケジュールされたＵＥのための変調および符号化方式のより正確な選択がもたらされる。
【００３１】
別の態様において、送信ダイバーシティが望まれるとき、いくつかの動作シナリオ下でのＣＱＩ報告に、開ループ報告モードを使用することができる。例えば、開ループ報告モードは、高移動度のシナリオ、低ジオメトリのシナリオ、ＰＭＩのフィードバックが利用できないときなどに使用することができる。開ループ報告モードによって、より正確なＣＱＩの報告が可能になり、データ送信のパフォーマンスが向上し得る。
【００３２】
図５は、ＳＵ−ＭＩＭＯでの開ループ報告モードの動作を示す。ｅＮＢは、ダウンリンクにおいてＣＳＩ−ＲＳおよび／またはＣＲＳを送信することができる（ステップ１）。ＵＥは、ｅＮＢからＣＳＩ−ＲＳおよび／またはＣＲＳを受信することができ、ｅＮＢからＵＥへのワイヤレスチャネルを評価することができる。例えば、ＵＥは、ＣＳＩ−ＲＳおよび／またはＣＲＳに基づいてチャネル推定を取得することができ、後述するように、ＵＥへのその後のデータ送信に送信ダイバーシティが使用されるという想定に基づいて、ＣＱＩを決定することができる。ＵＥは、ＣＳＩ−ＲＳおよび／またはＣＲＳに基づいて、また、さらに送信ダイバーシティの想定に基づいて、ＣＱＩと、場合によってＲＩとを決定することができる（ステップ２）。次いでＵＥは、ＣＱＩと、場合によってＲＩとを備えるチャネル情報をｅＮＢに送信することができる（ステップ３）。ＵＥは、広帯域または狭帯域についてのチャネル情報を決定し、報告することができる。ｅＮＢは、報告されたＣＱＩと、場合によってＲＩとを使用してＵＥにデータを送信することができる（ステップ４）。
【００３３】
ＳＵ−ＭＩＭＯ、ＭＵ−ＭＩＭＯ、およびＣｏＭＰに、開ループ報告モードが使用され得る。この報告モードは、短期的なチャネルおよび干渉状態が急速に変動する可能性があり、したがって次のデータ送信のためのＣＱＩおよびＲＩを決定するために使用すべきではないとき、高移動度ＵＥに使用することができる。ビームステアリングが高移動度のシナリオにおいて非実用的であり得るので、信頼性が高いデータ送信を確実にするために、送信ダイバーシティを使用することができる。送信ダイバーシティのある設計において、受信者のＵＥがこれらのプリコーディング行列によって定義される有効なチャネルの全体的効果を観察することができるように、ｅＮＢは、（例えば、リソースブロックの異なるサブフレームまたは異なるグループにおける）異なる時間および／または周波数リソースにおいて異なるプリコーディング行列を使用してデータを送信することができる。これによって、ＵＥは、平均的なチャネル状態を観察し、最悪のチャネル状態を回避することができる。
【００３４】
開ループ報告モードのための様々な方法でプリコーディング行列を選択することができる。大まかに定義された開ループ送信（loosely defined open-loop transmission）とも呼ばれ得るある設計において、ＵＥは、ｅＮＢが異なるリソースブロックのための異なるプリコーディング行列を疑似ランダムに選択すると想定することができる。選択されたプリコーディング行列は、閉ループ報告モードの場合にサポートされるプリコーディング行列のコードブックからのものでもよく、または、他の方法で選択されるプリコーディング行列でもよい。きっちりと定義された開ループ送信（tightly defined open-loop transmission）とも呼ばれ得る別の設計において、ＵＥは、リソースブロックに対するプリコーディング行列の所定のマッピングに基づいて、リソースブロックごとに特定のプリコーディング行列を想定することができる。このマッピングは、ＵＥおよびｅＮＢによって演繹的に知られていてもよい。さらにもう１つの設計において、ＵＥは、プリコーディング行列のシーケンスを循環することができ、ＣＱＩを計算するリソースブロックごとに、シーケンスにおける１つのプリコーディング行列を選択することができる。プリコーディング行列は、開ループ報告モードのための他の方法で選択することもできる。
【００３５】
ある設計において、ＣＱＩを計算する異なるリソースブロックのために、異なるプリコーディング行列を選択することができる。別の設計において、ＣＱＩを計算する異なるサブバンドのために、異なるプリコーディング行列を選択することができる。一般に、異なる時間／周波数リソースのために、異なるプリコーディング行列を選択することができる。各時間／周波数リソースは、任意の適した時間持続期間、および任意の適した周波数範囲をカバーすることができる。各プリコーディング行列は、ｅＮＢの送信アンテナごとに１つのベクトルを含み得る。異なる数の送信アンテナに、異なる組のプリコーディング行列が使用され得る。例えば、第１の組のプリコーディング行列（それぞれ２つのベクトルを有する）は、ｅＮＢにおける２つの送信アンテナに使用することができ、第２の組のプリコーディング行列（それぞれ４つのベクトルを有する）は、ｅＮＢにおける４つの送信アンテナに使用することができ、第３の組のプリコーディング行列（それぞれ８つのベクトルを有する）は、ｅＮＢにおける８つの送信アンテナに使用することができ、以下同様である。
【００３６】
ある設計において、すべてのｅＮＢに同じプリコーディング行列が使用され得る。別の設計において、異なるｅＮＢに異なるプリコーディング行列（または異なる組のプリコーディング行列）が使用され得る。この設計は、干渉状態をランダム化することができる。
【００３７】
ＣＱＩ測定をサポートするために、ｅＮＢは、ｅＮＢのすべての送信アンテナ（またはアンテナポート）から、ＣＳＩ−ＲＳおよび／またはＣＲＳを送信することができる。ｅＮＢは、（例えば、図２に示すように）各リソースブロックのいくつかのリソース要素において、またはいくつかのリソースブロックのみのいくつかのリソース要素においてＣＳＩ−ＲＳおよび／またはＣＲＳを送信することができる。
【００３８】
ＵＥは、ｅＮＢからＣＳＩ−ＲＳおよび／またはＣＲＳを受信することができる。受信したＣＳＩ−ＲＳまたはＣＲＳは、次のように表すことができる。
【００３９】
ｙ（ｔ，ｋ）＝ｈ（ｔ，ｋ）ｒ（ｔ，ｋ）＋ｎ（ｔ，ｋ）  式（１）
式中、ｒ（ｔ，ｋ）は、ｅＮＢの送信アンテナｔからリソース要素ｋにおいて送られる基準シンボルであり、
ｈ（ｔ，ｋ）は、ｅＮＢの送信アンテナｔからＵＥのＲ個の受信アンテナへのワイヤレスチャネルについてのＲ×１のチャネルベクトルであり、
ｙ（ｔ，ｋ）は、ＵＥのＲ個の受信アンテナから受信されるＲ個の基準シンボルを含むＲ×１のベクトルであり、
ｎ（ｔ，ｋ）はＵＥによって観察されるノイズおよび干渉のＲ×１のベクトルである。
【００４０】
ｅＮＢは、例えば、図３に示すように、各リソース要素において、多くても１つの送信アンテナから基準シンボルを送信することができる。次いで、ＵＥは、受信した基準シンボルに基づいて、最小平均二乗誤差（ＭＭＳＥ）、ゼロフォーシング（ＺＦ）、最大比合成（ＭＲＣ）、または他の何らかのチャネル推定技法を使用して、送信アンテナごとにワイヤレスチャネルの応答を推定することができ得る。例えば、ＵＥは、以下の通り、ＭＭＳＥに基づいてチャネル推定を導出することができる。
【数１】
0005642782.tif 000004
【００４１】
式中、
【数２】
0005642782.tif 000005
【００４２】
は、ｈ（ｔ，ｋ）の推定値であり、
ｒ＊（ｔ，ｋ）は、ｒ（ｔ，ｋ）の複素共役であり、
Ｎ0は、ｎ（ｔ，ｋ）におけるノイズおよび干渉の分散である。
【００４３】
ＵＥは、他の方法でチャネル推定を導出することもできる。ＵＥは、ｅＮＢのすべてのＴ個の送信アンテナの推定チャネルベクトルに基づいて、推定されたチャネル行列
【数３】
0005642782.tif 000006
【００４４】
を形成することができ、すなわち、
【数４】
0005642782.tif 000007
【００４５】
となる。ｋは、基準シンボルがすべてのＴ個の送信アンテナから送信された１組のリソース要素のインデックスであり得る。
【００４６】
ＵＥは、以下の通り、リソース要素ごとに有効なチャネル行列を計算することができる。
【数５】
0005642782.tif 000008
【００４７】
式中、Ｗ（ｋ）は、リソース要素ｋについてのランクＬのＴ×Ｌのプリコーディング行列であり、
Ｇ（ｋ）は、プリコーディング行列Ｗ（ｋ）を有するＲ×Ｌの有効なチャネル行列である。
【００４８】
ある設計において、ＵＥは、各リソースブロックのすべてのリソース要素に同じプリコーディング行列Ｗ（ｋ）を使用することができ、また、異なるリソースブロックに異なるプリコーディング行列を使用することができる。別の設計において、ＵＥは、異なるリソース要素に異なるプリコーディング行列を使用することができる。一般に、ＵＥは、異なる時間／周波数リソースに異なるプリコーディング行列を使用することができ、各時間／周波数リソースは、時間および周波数の任意の次元をカバーすることができる。
【００４９】
ＵＥは、以下の通り、有効なチャネル行列に基づいてノイズおよび干渉を推定することができる。
【数６】
0005642782.tif 000009
【００５０】
式中、ｒ（ｋ）は、ｅＮＢのすべてのＴ個のアンテナからリソース要素ｋにおいて送られる基準シンボルのベクトルであり、
Ｉ（ｋ）は、リソース要素ｋにおける推定されたノイズおよび干渉である。
【００５１】
（２）から（４）の式は、ノイズおよび干渉の推定の設計例を示す。ノイズおよび干渉は、例えば、一般公開されている「Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｌａｙｅｒ−Ｍｅａｓｕｒｅｍｅｎｔｓ」という名称の３ＧＰＰ  ＴＳ３６．２１４に記載のものなど、他の方法で推定することもできる。
【００５２】
ＵＥは、各リソース要素の受信信号品質を推定することができる。受信信号品質は、信号対ノイズおよび干渉比（ＳＩＮＲ）、搬送波対干渉波比（Ｃ／Ｉ）などによって定量化することができる。各リソース要素のＳＩＮＲは、次のように表すことができる。
【数７】
0005642782.tif 000010
【００５３】
式中、Ｐ（ｋ）は、リソース要素ｋにおける基準シンボルの送信電力であり、ＳＩＮＲ（ｋ）は、（線形単位における）リソース要素ｋのＳＩＮＲである。
【００５４】
ＵＥは、他の方法で各リソース要素のＳＩＮＲを推定することもできる。例えば、ＵＥは、受信した基準シンボル、推定されたチャネル行列、および選択されたプリコーディング行列に基づいて、ＭＭＳＥまたはいくつかの他の技法を使用して、ＳＩＮＲを推定することができる。
【００５５】
ＵＥは、以下の通り、容量／マッピング関数に基づいて、ＳＩＮＲをスペクトル効率にマッピングすることができる。
【数８】
0005642782.tif 000011
【００５６】
式中、ＳＥ（ｋ）は、リソース要素ｋのスペクトル効率であり、
ｆ（）は、スペクトル効率のマッピング関数を意味する。
【００５７】
マッピング関数ｆ（）は、変調スキーム（例えば、ＱＰＳＫ、１６−ＱＡＭ、６４−ＱＡＭなど）、不完全な受信機の処理によるＳＩＮＲのロスなど、様々な影響を得る可能性がある。
【００５８】
ＵＥは、以下の通り、対象のすべてのリソース要素のための平均スペクトル効率を決定することができる。
【数９】
0005642782.tif 000012
【００５９】
式中、Ｋは平均するリソース要素の数であり、
ＳＥavgは、すべてのリソース要素の平均スペクトル効率である。
【００６０】
ＵＥは、平均スペクトル効率を変調および符号化方式（ＭＣＳ）にマッピングすることができ、これは、ＣＱＩの形でＵＥによって報告され得る。ある設計において、ＵＥは、以下の通り、平均スペクトル効率を平均ＳＩＮＲに変換することができる。
【数１０】
0005642782.tif 000013
【００６１】
式中、「ｅｘｐ」は、指数関数を意味する。
【００６２】
ＵＥは、平均ＳＩＮＲを線形単位からデシベル（ｄＢ）の対数単位に変換することができる。次いで、ＵＥは、異なるＳＩＮＲ値を異なるＣＱＩ値にマッピングすることに基づいて、平均ＳＩＮＲ（ｄＢ単位）をＣＱＩにマッピングすることができる。
【００６３】
（２）から（８）の式は、特定のプリコーディング行列Ｗ（ｋ）について平均ＳＩＮＲを計算する設計例を示す。計算は、他の方法で行うことができる。例えば、ＵＥは、他の方法でチャネル行列Ｈ（ｋ）および／またはノイズおよび干渉Ｉ（ｋ）を推定することができる。ＵＥは、すべてのリソース要素にわたって、ＳＥ（ｋ）の代わりに、Ｉ（ｋ）、ＳＩＮＲ（ｋ）、または他の何らかの量を平均することもできる。
【００６４】
ある設計において、ＵＥは、ＵＥのために選択することができる可能なランクごとに、（例えば上述したような）ＣＱＩ計算を実行することができる。例えば、ＵＥは、ランク１の１組のプリコーディング行列についてのＣＱＩ計算を実行し、１つのコードワードについての１つの平均ＳＩＮＲを取得することができ、ランク２の別の１組のプリコーディング行列についてのＣＱＩ計算を実行し、２つのコードワードについての２つの平均ＳＩＮＲを取得することができ、以下同様である。プリコーディング行列の各組は、（例えば各リソースブロックなど）ＣＱＩを計算する時間／周波数リソースごとに、１つのプリコーディング行列を含むことができる。ＵＥは最適なランクを選択することができ、これは、最高の全体的なスペクトル効率または他の何らかのメトリックと関連付けることができる。ＵＥは、選択されたランクＬについてのＬ個のコードワードまでの最高Ｌ個までのＣＱＩ値を報告することができ、Ｌは、１、２などに等しくなり得る。ＵＥは、選択されたランクＬを表すＲＩを報告することもできる。
【００６５】
別の設計において、ＵＥは、ＵＥに使用され得る特定のランクのためのＣＱＩ計算を実行することができる。このランクは、ＵＥの能力、チャネル状態などに基づいて選択することができる。例えば、長期的な平均ＳＩＮＲが閾値未満である場合、ランク１を使用することができ、長期的な平均ＳＩＮＲが閾値を上回る場合、ランク２を使用することができる。ＵＥは、特定のランクのＣＱＩを報告することができ、ＲＩの報告をスキップすることができる。
【００６６】
ある設計において、ＵＥは、全体的なシステム帯域幅についての、対象のサブバンドごとの、対象のリソースブロックごとの、または対象の他の何らかの時間／周波数リソースについてのＣＱＩを計算し、報告することができる。対象の時間／周波数リソースは、ＵＥをデータ送信にスケジュールすることができるリソースとすることができ、また、他の方法で、ＵＥのために構成する、またはＵＥがわかるようにすることができる。
【００６７】
大まかに定義された開ループ送信、およびきっちり定義された開ループ送信では、ＵＥは、ＣＱＩを計算し、報告するために、いくつかのプリコーディング行列を使用することができる。ｅＮＢは、（ｉ）（例えばＳＵ−ＭＩＭＯなど）ＣＱＩを計算するためにＵＥによって使用される同じプリコーディング行列、または（ｉｉ）（例えばＭＵ−ＭＩＭＯまたはＣｏＭＰなど）異なるプリコーディング行列を使用して、データを送信することができる。ＵＥは、いくつかの時間／周波数リソースについてのＣＱＩを計算し、報告することができる。ｅＮＢは、ＣＱＩが計算された時間／周波数リソースの一部または全部においてＵＥをスケジュールすることができる。いずれにせよ、ＵＥによって報告されるＣＱＩと、そのＵＥによって観察される実際のＣＱＩとの間に、いくらかのエラーがある場合がある。これらのエラーは、ＨＡＲＱによって考慮に入れることができる。
【００６８】
報告がＵＥによって定期的に送られる定期的なＣＱＩ／ＲＩ報告に、開ループ報告モードを使用することができる。開ループ報告モードは、要求される、またはトリガされるときはいつでも、報告がＵＥによって送られる非同調のＣＱＩ／ＲＩ報告に使用することもできる。
【００６９】
ｅＮＢは、ＣＱＩと、場合によってＲＩとをＵＥから定期的に受信することができる。ある設計において、ｅＮＢは、受信したＲＩに基づいて、ＵＥに送信すべきコードワードの数を選択することができ、受信したＣＱＩに基づいて、１つまたは複数のコードワードについての１つまたは複数の変調および符号化方式を選択することができる。別の設計において、ｅＮＢは、無限インパルス応答（ＩＩＲ）フィルタ、有限インパルス応答（ＦＩＲ）フィルタ、または他の何らかのフィルタに基づいて、受信されたＣＱＩと、場合によってＲＩとをフィルタ処理することができる。次いでｅＮＢは、フィルタ処理されたＲＩに基づいて送信すべきコードワードの数を選択することができ、フィルタ処理されたＣＱＩに基づいて１つまたは複数の変調および符号化方式を選択することができる。
【００７０】
ある設計において、ｅＮＢは、バックオフを適用することができ、受信されたまたはフィルタ処理されたＣＱＩを固定量または可変量のいずれかだけ低減することができる。バックオフの可変量は、受信されたまたはフィルタ処理されたＣＱＩの予想精度に依存していてもよい。次いでｅＮＢは、低減されたＣＱＩに基づいて、１つまたは複数の変調および符号化方式を選択することができる。
【００７１】
一般に、ｅＮＢは、任意の関数に基づいて、受信されたＣＱＩと、場合によってＲＩとを処理することができる。ｅＮＢは、処理されたＲＩに基づいて、ＵＥに送信すべきコードワードの数を選択することができ、処理されたＣＱＩに基づいて、１つまたは複数のコードワードについて１つまたは複数の変調および符号化方式を選択することができる。
【００７２】
図６は、ＣＱＩを報告するためのプロセス６００の設計を示す。プロセス６００は、（後述するように）ＵＥによって、または他の何らかのエンティティによって実行することができる。ＵＥは、ＵＥへのデータ送信のために基地局によって１組のプリコーディング行列が使用されるという想定に基づいて、ＣＱＩを決定することができる（ブロック６１２）。基地局は、ＵＥによって想定されるプリコーディング行列の組を実際に使用してもよく、または使用しなくてもよい。ＵＥは、基地局にＣＱＩを送ることができるが、プリコーディング行列の組は送らない（ブロック６１４）。ＵＥは、その後、ＣＱＩに基づいて基地局によってＵＥに送られるデータ送信を受信することができる（ブロック６１６）。送信ダイバーシティを得るために、複数のプリコーディング行列によるプリコーディングによって、データ送信が送られ得る。複数のプリコーディング行列には、ＵＥによって想定されるプリコーディング行列の組におけるプリコーディング行列のうちゼロ、いくつか、またはすべてが含まれていてもよい。
【００７３】
ブロック６１２のある設計において、ＵＥは、ＵＥへのデータ送信に利用できる１組の時間／周波数リソースについてのプリコーディング行列の組を決定することができる。時間／周波数リソースの組は、１組のリソースブロック、１組のサブバンド、１組の帯域幅パーツ、１組のリソース要素、全体的なシステム帯域幅、または時間および周波数の他の何らかの単位に対応し得る。例えば、１つのスロットにおける１２の副搬送波をカバーするリソースブロックごとに、１つのサブフレームにおける１２の副搬送波をカバーするリソースブロックの対ごとに、または他の何らかの数のリソースブロックについての１つのプリコーディング行列など、プリコーディング行列の組における１つのプリコーディング行列を、各時間／周波数リソースに使用することができる。ある設計において、ＵＥは、時間／周波数リソースの組についてのランダムなプリコーディング行列を選択することができる。その結果、プリコーディング行列の組は、ランダムなプリコーディング行列を備え得る。別の設計において、ＵＥは、時間／周波数リソースごとに指定されたプリコーディング行列を使用することができる。その結果、プリコーディング行列の組は、時間／周波数リソースごとに指定されたプリコーディング行列を備え得る。ＵＥは、他の方法でプリコーディング行列の組を決定することもできる。
【００７４】
ＵＥは、時間／周波数リソースの組にプリコーディング行列の組を使用することによって、ＣＱＩを決定することができる。ある設計において、ＵＥは、その時間／周波数リソースについてのプリコーディング行列に基づいて、各時間／周波数リソースの受信信号品質を決定することができる。時間／周波数リソースごとに、ＵＥは、時間／周波数リソースについての基地局からＵＥへのワイヤレスチャネルのためのチャネル行列を推定することができる。ＵＥは、式（３）に示すように、時間／周波数リソースについての推定されたチャネル行列およびプリコーディング行列に基づいて、時間／周波数リソースごとに有効なチャネル行列を決定することができる。ＵＥは、その時間／周波数リソースについての有効なチャネル行列に基づいて、各時間／周波数リソースの受信信号品質を推定することができる。その結果、ＵＥは、時間／周波数リソースの組の受信信号品質に基づいて、ＣＱＩを決定することができる。ある設計において、ＵＥは、平均の受信信号品質を取得するために、時間／周波数リソースの組の受信信号品質を平均することができる。平均は、例えば受信信号品質、スペクトル効率などに基づくなど、様々な方法で行うことができる。ＵＥは、平均された受信信号品質に基づいてＣＱＩを決定することができる。
【００７５】
ある設計において、ＵＥは、ＵＥへのデータ送信に使用され得る異なる可能なランクを評価することができる。ＵＥは、複数のランクのそれぞれについて１組のプリコーディング行列を決定することができる。ＵＥは、そのランクのプリコーディング行列の組に基づいて、ランクごとにメトリックを決定することができる。メトリックは、受信信号品質、スペクトル効率、スループットなどに基づいてもよい。ＵＥは、すべてのランクのメトリックに基づいて、複数のランクのうちの１つを選択することができる。ＵＥは、選択されたランクのプリコーディング行列の組に基づいて、選択されたランクのＣＱＩを決定することができる。ＵＥは、基地局に選択されたランクを表すＲＩを送ることができる。ＵＥは、その後、Ｌ個のデータパケットまたはコードワードを備えるデータ送信を基地局から受信することができ、Ｌは、選択されたランクに基づいて決定することができる（例えば、等しくてもよい）。
【００７６】
図７は、ＣＱＩを報告するための装置７００の設計を示す。装置７００は、ＵＥへのデータ送信のために基地局によって１組のプリコーディング行列が使用されるという想定に基づいてＵＥによってＣＱＩを決定するためのモジュール７１２と、ＵＥから基地局にＣＱＩを送るためのモジュール７１４と、ＣＱＩに基づいて基地局によってＵＥに送られるデータ送信を受信するためのモジュール７１６であって、送信ダイバーシティを得るために、複数のプリコーディング行列を使用して、データ送信が送られる、モジュール７１６とを含む。
【００７７】
図８は、ＣＱＩを受信するためのプロセス８００の設計を示す。プロセス８００は、（後述するように）基地局によって、または他の何らかのエンティティによって実行することができる。基地局は、ＵＥへのデータ送信のために基地局によって１組のプリコーディング行列が使用されるという想定に基づいてＵＥによって決定されるＣＱＩを受信することができる（ブロック８１２）。基地局は、ＣＱＩに基づいて、ＵＥにデータ送信を送ることができる（ブロック８１４）。ブロック８１４のある設計において、基地局は、ＣＱＩに基づいて少なくとも１つのＭＣＳを選択することができる。その結果、基地局は、少なくとも１つのＭＣＳに基づいてＵＥのためのデータを処理することができる。
【００７８】
基地局は、送信ダイバーシティを得るために、複数のプリコーディング行列に基づいて、データ送信についてのプリコーディングを行うことができる。ある設計において、複数のプリコーディング行列は、ＵＥによって想定されるプリコーディング行列の組における少なくとも１つのプリコーディング行列を含むことができる。ある設計において、複数のプリコーディング行列は、プリコーディング行列の組に入っていないプリコーディング行列を少なくとも１つ含んでいてもよい。一般に、基地局によって使用される複数のプリコーディング行列は、ＵＥによって想定されるプリコーディング行列の組にプリコーディング行列がゼロ、いくつか、またはすべて含まれていてもよい。
【００７９】
ある設計において、基地局は、ＣＱＩを定期的にＵＥから受信し、ＣＱＩを平均することができる。基地局は、平均されたＣＱＩに基づいてデータ送信を送ることができる。ある設計において、基地局は、バックオフに基づいてＣＱＩを調整することができ、調整されたＣＱＩに基づいてデータ送信を送ることができる。基地局は、他の方法でＵＥからのＣＱＩを処理することもでき、ＵＥへのデータ送信に（受信されたＣＱＩの代わりに）処理されたＣＱＩを使用することができる。
【００８０】
ある設計において、基地局は、ＵＥによって選択されたランクを表すＲＩを受信することができる。基地局は、データ送信のためのＬ個のデータパケットまたはコードワードを送ることができ、Ｌは、ＵＥによって選択されたランクに基づいて決定することができる。
【００８１】
ある設計において、ＵＥは、ＣＱＩが決定される時間／周波数リソースのサブセットにおけるデータ送信にスケジュールされ得る。別の設計において、ＵＥは、ＣＱＩが決定される時間／周波数リソースのすべてにおいてスケジュールされ得る。ある設計において、ＵＥは、基地局によるＳＵ−ＭＩＭＯ送信にスケジュールされ得る。別の設計において、ＵＥおよび少なくとも１つの他のＵＥは、基地局によるＭＵ−ＭＩＭＯ送信にスケジュールされ得る。さらにもう１つの設計において、ＵＥおよび少なくとも１つの他のＵＥは、基地局の少なくとも１つのセルを含み得る複数のセルによるＣｏＭＰ送信にスケジュールされ得る。ＵＥは、他の方法でスケジュールされてもよい。
【００８２】
図９は、ＣＱＩを受信するための装置９００の設計を示す。装置９００は、ＵＥへのデータ送信のために基地局によって１組のプリコーディング行列が使用されるという想定に基づいてＵＥによって決定されるＣＱＩを受信するためのモジュール９１２と、ＣＱＩに基づいて基地局からＵＥにデータ送信を送るためのモジュール９１４とを含む。
【００８３】
図７および図９のモジュールは、プロセッサ、電子デバイス、ハードウェアデバイス、電子部品、論理回路、メモリ、ソフトウェアコード、ファームウェアコードなど、または任意のその組み合わせを備えることができる。
【００８４】
図１０は、図１の基地局／ｅＮＢの１つおよびＵＥの１つとすることができる基地局／ｅＮＢ１１０およびＵＥ１２０の設計のブロック図を示す。基地局１１０は、Ｔ個のアンテナ１０３４ａから１０３４ｔまでを備え、ＵＥ１２０は、Ｒ個のアンテナ１０５２ａから１０５２ｒまでを備えることができ、一般に、Ｔ＞１およびＲ≧１である。
【００８５】
基地局１１０で、送信プロセッサ１０２０は、データソース１０１２から１つまたは複数のＵＥのデータを受信し、そのＵＥのために選択された１つまたは複数の変調および符号化方式に基づいて、各ＵＥのデータを処理（例えば、コード化および変調）し、すべてのＵＥのデータシンボルを提供することができる。送信プロセッサ１０２０は、制御情報を処理し、制御シンボルを提供することもできる。送信プロセッサ１０２０は、例えばＣＲＳ、ＣＳＩ−ＲＳ、ＵＥ−ＲＳなど、１つまたは複数の基準信号についての基準シンボルを生成することもできる。送信（ＴＸ）ＭＩＭＯプロセッサ１０３０は、データシンボル、制御シンボル、および／または基準シンボル（該当する場合）をプリコードし、Ｔ個の出力シンボルストリームをＴ個の変調器（ＭＯＤ）１０３２ａから１０３２ｔまでに提供することができる。各変調器１０３２は、出力サンプルストリームを得るために、（例えばＯＦＤＭなど）その出力シンボルストリームを処理することができる。各変調器１０３２は、その出力サンプルストリームをさらに調節（例えば、アナログに変換、フィルタ処理、増幅、およびアップコンバート）し、ダウンリンク信号を生成することができる。変調器１０３２ａから１０３２ｔまでのＴ個のダウンリンク信号は、それぞれ、Ｔ個のアンテナ１０３４ａから１０３４ｔまでを介して送信することができる。
【００８６】
ＵＥ１２０で、Ｒ個のアンテナ１０５２ａから１０５２ｒまでは、基地局１１０および他の基地局からダウンリンク信号を受信することができ、各アンテナ１０５２は、受信信号を関連の復調器（ＤＥＭＯＤ）１０５４に提供することができる。各復調器１０５４は、サンプルを得るために、その受信信号を調節（例えば、フィルタ処理、増幅、ダウンコンバート、およびデジタル化）し、受信シンボルを得るために、（例えばＯＦＤＭなど）そのサンプルをさらに処理することができる。各復調器１０５４は、受信データシンボルをＭＩＭＯ検出器１０６０に提供し、受信した基準シンボルをチャネルプロセッサ１０９４に提供することができる。チャネルプロセッサ１０９４は、受信した基準シンボルに基づいて、基地局１１０からＵＥ１２０へのワイヤレスチャネルについてのチャネル推定を導出することができる。チャネルプロセッサ１０９４は、上述したように、受信した基準シンボルに基づいて、ＣＱＩと、場合によってＲＩとを決定することもできる。チャネルプロセッサ１０９４は、チャネル推定をＭＩＭＯ検出器１０６０に提供することができ、ＣＱＩと、場合によってＲＩとをコントローラ／プロセッサ１０９０に提供することができる。ＭＩＭＯ検出器１０６０は、チャネル推定に基づいて受信データシンボル（該当する場合）においてＭＩＭＯ検出を行うことができ、検出されたシンボルを提供することができる。受信プロセッサ１０７０は、検出されたシンボルを処理（例えば、復調およびデコード）し、ＵＥ１２０の復号データをデータシンク１０７２に提供し、復号された制御情報をコントローラ／プロセッサ１０９０に提供することができる。
【００８７】
ＵＥ１２０は、上述したように、ＣＱＩと、場合によってＲＩとを決定することができる。データソース１０７８からのチャネル情報（例えば、ＣＱＩと、場合によってＲＩなどを備える）、他の制御情報、およびデータは、送信プロセッサ１０８０によって処理され、該当する場合、ＴＸ  ＭＩＭＯプロセッサ１０８２によってプリコードされ、変調器１０５４ａから１０５４ｒまでによってさらに処理され、基地局１１０に送信される。基地局１１０で、ＵＥ１２０および他のＵＥからのアップリンク信号は、アンテナ１０３４によって受信され、復調器１０３２によって処理され、該当する場合、ＭＩＭＯ検出器１０３６によって検出され、ＵＥ１２０および他のＵＥによって送られたデータおよび制御情報を回復するために、受信プロセッサ１０３８によってさらに処理することができる。プロセッサ１０３８は、回復されたデータをデータシンク１０３９に提供することができ、回復された制御情報およびチャネル情報をコントローラ／プロセッサ１０４０に提供することができる。
【００８８】
コントローラ／プロセッサ１０４０および１０９０は、それぞれ基地局１１０およびＵＥ１２０の動作を指示することができる。基地局１１０のプロセッサ１０４０、および／または他のプロセッサおよびモジュールは、図８のプロセス８００および／または本明細書に記載されている技法の他のプロセスを実行する、または指示することができる。ＵＥ１２０のプロセッサ１０９０および／または他のプロセッサおよびモジュールは、図６のプロセス６００、および／または本明細書に記載されている技法の他のプロセスを実行する、または指示することができる。メモリ１０４２および１０９２は、基地局１１０およびＵＥ１２０のデータおよびプログラムコードをそれぞれ格納することができる。スケジューラ１０４４は、すべてのＵＥから受信されたチャネル情報に基づいて、ダウンリンクおよび／またはアップリンクにおけるデータ送信のためにＵＥ１２０および／または他のＵＥをスケジュールすることができる。
【００８９】
情報および信号は、様々な異なる技術および技法のいずれかを使用して表すことができることを当業者であれば理解されよう。例えば、上記の説明全体にわたって参照され得るデータ、命令、コマンド、情報、信号、ビット、シンボル、およびチップは、電圧、電流、電磁波、磁場または粒子、光学場または粒子、またはその任意の組み合わせによって表すことができる。
【００９０】
本明細書における開示に関連して記載されている様々な例示の論理ブロック、モジュール、回路、およびアルゴリズムステップを、電子ハードウェア、コンピュータソフトウェア、または両方の組み合わせとして実装することができることを、当業者であればさらに理解されよう。ハードウェアとソフトウェアとのこの互換性を明確に示すために、様々な例示の構成要素、ブロック、モジュール、回路、およびステップは、それらの機能に関して概ね上述した。こうした機能がハードウェアとして実装されるか、ソフトウェアとして実装されるかは、特定の用途およびシステム全体に課せられる設計の制約によって決まる。当業者は、特定の用途ごとに様々な方法で記載の機能を実装することができるが、こうした実装の決定は、本開示の範囲から逸脱すると解釈されないものとする。
【００９１】
本明細書における開示に関連して記載されている様々な例示の論理ブロック、モジュール、および回路は、多目的プロセッサ、デジタル信号プロセッサ（ＤＳＰ）、特定用途向けＩＣ（ＡＳＩＣ）、フィールドプログラマブルゲートアレイ（ＦＰＧＡ）若しくは他のプログラマブルロジックデバイス、個別のゲート若しくはトランジスタロジック、個別のハードウェア構成要素、または本明細書に記載されている機能を実行するように設計されたそれらの任意の組み合わせで実施または実行することができる。汎用プロセッサは、マイクロプロセッサでもよく、しかし、代替で、プロセッサは、任意の従来のプロセッサ、コントローラ、マイクロコントローラ、またはステートマシンでもよい。プロセッサは、例えば、ＤＳＰとマイクロプロセッサの組み合わせ、複数のマイクロプロセッサ、ＤＳＰコアと連動する１つまたは複数のマイクロプロセッサ、またはこうした他の任意の構成など、コンピューティングデバイスの組み合わせとして実装することもできる。
【００９２】
本明細書における開示に関連して記載されている方法またはアルゴリズムのステップは、直接ハードウェアに、プロセッサによって実行されるソフトウェアモジュールに、または２つの組み合わせに組み込むことができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または当分野で知られている任意の他の形の記憶媒体にあってもよい。記憶媒体例は、プロセッサが記憶媒体から情報を読み取ることができ、そこに情報を書き込むことができるように、プロセッサに結合される。代替で、記憶媒体は、プロセッサと一体型でもよい。プロセッサおよび記憶媒体は、ＡＳＩＣにあってもよい。ＡＳＩＣは、ユーザ端末にあってもよい。代替で、プロセッサおよび記憶媒体は、ユーザ端末に個別の構成要素としてあってもよい。
【００９３】
１つまたは複数の設計例において、記載されている機能は、ハードウェア、ソフトウェア、ファームウェア、または任意のその組み合わせにおいて実施することができる。ソフトウェアで実施される場合、機能は、コンピュータ可読媒体に格納することができ、またはコンピュータ可読媒体上の１つまたは複数の命令またはコードとして送信され得る。コンピュータ可読媒体は、コンピュータプログラムのある場所から別の場所への転送を容易にする任意の媒体を含むコンピュータ記憶媒体と通信媒体との両方を含む。記憶媒体は、汎用または専用のコンピュータによってアクセスすることができる任意の使用可能な媒体とすることができる。それだけには限定されないが、一例として、こうしたコンピュータ可読媒体は、ＲＡＭ、ＲＯＭ、ＥＥＰＲＯＭ、ＣＤ−ＲＯＭ若しくは他の光学ディスク記憶装置、磁気ディスク記憶装置若しくは他の磁気記憶装置、または命令若しくはデータ構造の形で所望のプログラムコード手段を伝えるまたは格納するために使用することができ、汎用若しくは専用のコンピュータ、または汎用若しくは専用のプロセッサによってアクセスすることができる他の任意の媒体を備えることができる。また、いかなる接続も、コンピュータ可読媒体と適切に呼ばれる。例えば、同軸ケーブル、光ファイバケーブル、ツイストペア、デジタル加入者回線（ＤＳＬ）、または例えば赤外線、無線、およびマイクロ波などの無線技術を使用して、ウェブサイト、サーバ、または他のリモートソースからソフトウェアが送信される場合、同軸ケーブル、光ファイバケーブル、ツイストペア、ＤＳＬ、または例えば赤外線、無線、およびマイクロ波などの無線技術は、媒体の定義に含まれる。ディスク（ｄｉｓｋ）およびディスク（ｄｉｓｃ）は、本明細書で使用される場合、コンパクトディスク（ＣＤ）、レーザーディスク（登録商標）、光ディスク、デジタル多用途ディスク（ＤＶＤ）、フロッピー（登録商標）ディスク、およびＢｌｕ−ｒａｙディスクを含み、ディスク（ｄｉｓｋ）は、通常磁気的にデータを再生し、ディスク（ｄｉｓｃ）は、データをレーザーで光学的に再生する。上記の組み合わせもコンピュータ可読媒体の範囲内に含まれるものとする。
【００９４】
開示の上記の説明は、任意の当業者が開示を作り、または使用することができるように提供されている。開示に対する様々な変更は、当業者にとっては容易に明らかであり、本明細書に定義される一般的な原則は、本開示の意図および範囲を逸脱しない範囲で他の変形形態に適用することができる。したがって、本開示は、本明細書に記載されている例および設計に限定されるものではなく、本明細書に開示される原理および新しい特徴と整合した最も広い範囲が与えられるものとする。
以下に、本願出願の当初の特許請求の範囲に記載された発明を付記する。
［Ｃ１］
ユーザ機器（ＵＥ）へのデータ送信のために基地局によって１組のプリコーディング行列が使用されるという想定に基づいて、前記ＵＥによってチャネル品質インジケータ（ＣＱＩ）を決定することと、
前記ＵＥから前記基地局に前記ＣＱＩを送ることと
を備える無線通信のための方法。
［Ｃ２］
前記ＣＱＩに基づいて前記基地局によって前記ＵＥに送られるデータ送信を受信することであって、前記データ送信が、送信ダイバーシティを得るために複数のプリコーディング行列を使用して送られること
をさらに備えるＣ１に記載の方法。
［Ｃ３］
前記ＣＱＩを決定することが、
前記ＵＥへのデータ送信に利用できる１組の時間／周波数リソースについての前記１組のプリコーディング行列を決定することと、
前記１組の時間／周波数リソースについての前記１組のプリコーディング行列を使用して前記ＣＱＩを決定することと
を備えるＣ１に記載の方法。
［Ｃ４］
前記１組のプリコーディング行列を決定することが、前記１組の時間／周波数リソースについてのランダムなプリコーディング行列を選択することを備え、前記１組のプリコーディング行列が、前記ランダムなプリコーディング行列を備えるＣ３に記載の方法。
［Ｃ５］
前記１組のプリコーディング行列を決定することが、前記１組の時間／周波数リソースのそれぞれに指定されたプリコーディング行列を使用することを備え、前記１組のプリコーディング行列が、時間／周波数リソースごとに前記指定されたプリコーディング行列を備えるＣ３に記載の方法。
［Ｃ６］
前記１組の時間／周波数リソースが１組のリソースブロックに対応し、前記１組のプリコーディング行列における１つのプリコーディング行列が、前記１組のリソースブロックにおける各リソースブロックに使用されるＣ３に記載の方法。
［Ｃ７］
前記１組の時間／周波数リソースについての前記１組のプリコーディング行列を使用して前記ＣＱＩを決定することが、
前記１組のプリコーディング行列における前記時間／周波数リソースについてのプリコーディング行列に基づいて、前記複数の時間／周波数リソースのそれぞれの受信信号品質を決定することと、
前記１組の時間／周波数リソースの受信信号品質に基づいて前記ＣＱＩを決定することと
を備えるＣ３に記載の方法。
［Ｃ８］
時間／周波数リソースのそれぞれの前記受信信号品質を決定することが、
前記時間／周波数リソースについての前記基地局から前記ＵＥへのワイヤレスチャネルのためのチャネル行列を推定することと、
前記時間／周波数リソースについての前記推定されたチャネル行列および前記プリコーディング行列に基づいて、有効なチャネル行列を決定することと、
前記有効なチャネル行列に基づいて、前記時間／周波数リソースの前記受信信号品質を推定することと
を備えるＣ７に記載の方法。
［Ｃ９］
前記１組の時間／周波数リソースの前記受信信号品質に基づいて前記ＣＱＩを決定することが、
平均の受信信号品質を取得するために、前記１組の時間／周波数リソースの前記受信信号品質を平均することと、
前記平均された受信信号品質に基づいて前記ＣＱＩを決定することと
を備えるＣ７に記載の方法。
［Ｃ１０］
複数のランクのそれぞれについて１組のプリコーディング行列を決定することと、
前記ランクの前記１組のプリコーディング行列に基づいて、前記複数のランクのそれぞれのメトリックを決定することと、
各ランクの前記メトリックに基づいて、前記複数のランクのうちの１つを選択することと
をさらに備え、前記ＣＱＩが、前記選択されたランクの前記１組のプリコーディング行列に基づいて決定される
Ｃ１に記載の方法。
［Ｃ１１］
前記基地局に前記選択されたランクを表すランクインジケータ（ＲＩ）を送ることと、
前記ＣＱＩに基づいて、前記基地局によって前記ＵＥに送られたＬ個のデータパケットを備えるデータ送信を受信することであって、Ｌは前記選択されたランクに基づいて決定されることと
をさらに備えるＣ１０に記載の方法。
［Ｃ１２］
ユーザ機器（ＵＥ）へのデータ送信のために基地局によって１組のプリコーディング行列が使用されるという想定に基づいて、チャネル品質インジケータ（ＣＱＩ）を決定するための手段と、
前記ＵＥから前記基地局に前記ＣＱＩを送るための手段と
を備えるワイヤレス通信のための装置。
［Ｃ１３］
前記ＣＱＩに基づいて前記基地局によって前記ＵＥに送られるデータ送信を受信するための手段であって、前記データ送信が、送信ダイバーシティを得るために複数のプリコーディング行列を使用して送られる、手段
をさらに備えるＣ１２に記載の装置。
［Ｃ１４］
前記ＣＱＩを決定するための前記手段が、
前記ＵＥへのデータ送信に利用できる１組の時間／周波数リソースについての前記１組のプリコーディング行列を決定するための手段と、
前記１組の時間／周波数リソースについての前記１組のプリコーディング行列を使用して前記ＣＱＩを決定するための手段と
を備えるＣ１２に記載の装置。
［Ｃ１５］
前記１組の時間／周波数リソースについての前記１組のプリコーディング行列を使用して前記ＣＱＩを決定するための前記手段が、
前記１組のプリコーディング行列における前記時間／周波数リソースについてのプリコーディング行列に基づいて、前記複数の時間／周波数リソースのそれぞれの受信信号品質を決定するための手段と、
前記１組の時間／周波数リソースの受信信号品質に基づいて前記ＣＱＩを決定するための手段と
を備えるＣ１４に記載の装置。
［Ｃ１６］
複数のランクのそれぞれについて１組のプリコーディング行列を決定するための手段と、
前記ランクの前記１組のプリコーディング行列に基づいて、前記複数のランクのそれぞれのメトリックを決定するための手段と、
各ランクの前記メトリックに基づいて、前記複数のランクのうちの１つを選択するための手段であって、前記ＣＱＩが、前記選択されたランクの前記１組のプリコーディング行列に基づいて決定される、手段と
をさらに備えるＣ１２に記載の装置。
［Ｃ１７］
ユーザ機器（ＵＥ）へのデータ送信のために基地局によって１組のプリコーディング行列が使用されるという想定に基づいて、チャネル品質インジケータ（ＣＱＩ）を決定し、前記ＵＥから前記基地局に前記ＣＱＩを送るように構成された少なくとも１つのプロセッサ
を備えるワイヤレス通信のための装置。
［Ｃ１８］
前記少なくとも１つのプロセッサが、前記ＣＱＩに基づいて前記基地局によって前記ＵＥに送られるデータ送信を受信するように構成され、前記データ送信が、送信ダイバーシティを得るために複数のプリコーディング行列を使用して送られるＣ１７に記載の装置。
［Ｃ１９］
前記少なくとも１つのプロセッサが、前記ＵＥへのデータ送信に利用できる１組の時間／周波数リソースについての前記１組のプリコーディング行列を決定し、前記１組の時間／周波数リソースについての前記１組のプリコーディング行列を使用して前記ＣＱＩを決定するように構成されたＣ１７に記載の装置。
［Ｃ２０］
前記少なくとも１つのプロセッサが、前記１組のプリコーディング行列における前記時間／周波数リソースについてのプリコーディング行列に基づいて、前記複数の時間／周波数リソースのそれぞれの受信信号品質を決定し、前記１組の時間／周波数リソースの受信信号品質に基づいて前記ＣＱＩを決定するように構成されたＣ１９に記載の装置。
［Ｃ２１］
前記少なくとも１つのプロセッサが、複数のランクのそれぞれについて１組のプリコーディング行列を決定し、前記ランクの前記１組のプリコーディング行列に基づいて、前記複数のランクのそれぞれのメトリックを決定し、各ランクの前記メトリックに基づいて、前記複数のランクのうちの１つを選択し、前記選択されたランクの前記１組のプリコーディング行列に基づいて前記ＣＱＩを決定するように構成されたＣ１７に記載の装置。
［Ｃ２２］
少なくとも１つのコンピュータに、ユーザ機器（ＵＥ）へのデータ送信のために基地局によって１組のプリコーディング行列が使用されるという想定に基づいて、チャネル品質インジケータ（ＣＱＩ）を決定させるためのコードと、
前記少なくとも１つのコンピュータに、前記ＵＥから前記基地局に前記ＣＱＩを送らせるためのコードと
を備える非一時的コンピュータ可読媒体
を備えるコンピュータプログラム製品。
［Ｃ２３］
ユーザ機器（ＵＥ）へのデータ送信のために基地局によって１組のプリコーディング行列が使用されるという想定に基づいて、前記ＵＥによって決定されたチャネル品質インジケータ（ＣＱＩ）を受信することと、
前記ＣＱＩに基づいて前記基地局から前記ＵＥにデータ送信を送ることと
を備えるワイヤレス通信のための方法。
［Ｃ２４］
前記データ送信を送ることが、
前記ＣＱＩに基づいて少なくとも１つの変調および符号化方式（ＭＣＳ）を選択することと、
前記少なくとも１つのＭＣＳに基づいて前記ＵＥのためのデータを処理することと
を備えるＣ２３に記載の方法。
［Ｃ２５］
前記１組のプリコーディング行列における少なくとも１つのプリコーディング行列を含む複数のプリコーディング行列に基づいて、前記データ送信についてのプリコーディングを行うこと
をさらに備えるＣ２３に記載の方法。
［Ｃ２６］
前記１組のプリコーディング行列に入っていないプリコーディング行列を少なくとも１つ含む複数のプリコーディング行列に基づいて、前記データ送信についてのプリコーディングを行うこと
をさらに備えるＣ２３に記載の方法。
［Ｃ２７］
前記ＣＱＩが、前記ＵＥへのデータ送信に利用できる１組の時間／周波数リソースについての前記１組のプリコーディング行列を使用して前記ＵＥによって決定されるＣ２３に記載の方法。
［Ｃ２８］
前記ＵＥから定期的に受信された前記ＣＱＩを平均することをさらに備え、前記データ送信を送ることが、前記平均されたＣＱＩに基づいて前記データ送信を送ることを備える
Ｃ２３に記載の方法。
［Ｃ２９］
バックオフに基づいて前記ＣＱＩを調整することをさらに備え、前記データ送信を送ることが、前記調整されたＣＱＩに基づいて前記データ送信を送ることを備える
Ｃ２３に記載の方法。
［Ｃ３０］
前記ＵＥによって選択されたランクを表すランクインジケータ（ＲＩ）を受信することをさらに備え、前記データ送信を送ることが、前記データ送信のためのＬ個のデータパケットを送ることを備え、Ｌは前記選択されたランクに基づいて決定される
Ｃ２３に記載の方法。
［Ｃ３１］
前記１組の時間／周波数リソースの少なくともサブセットにおけるデータ送信に前記ＵＥをスケジュールすること
をさらに備えるＣ２７に記載の方法。
［Ｃ３２］
前記ＵＥおよび少なくとも１つの他のＵＥを、前記基地局によるマルチユーザ多入力多出力（ＭＵ−ＭＩＭＯ）送信にスケジュールすること
をさらに備えるＣ２３に記載の方法。
［Ｃ３３］
前記ＵＥおよび少なくとも１つの他のＵＥを、前記基地局の少なくとも１つのセルを含む複数のセルによる協調マルチポイント（ＣｏＭＰ）送信にスケジュールすること
をさらに備えるＣ２３に記載の方法。
［Ｃ３４］
ユーザ機器（ＵＥ）へのデータ送信のために基地局によって１組のプリコーディング行列が使用されるという想定に基づいて、前記ＵＥによって決定されたチャネル品質インジケータ（ＣＱＩ）を受信するための手段と、
前記ＣＱＩに基づいて前記基地局から前記ＵＥにデータ送信を送るための手段と
を備えるワイヤレス通信のための装置。
［Ｃ３５］
前記１組のプリコーディング行列における少なくとも１つのプリコーディング行列を含む複数のプリコーディング行列に基づいて、前記データ送信についてのプリコーディングを行うための手段
をさらに備えるＣ３４に記載の装置。
［Ｃ３６］
前記１組のプリコーディング行列に入っていないプリコーディング行列を少なくとも１つ含む複数のプリコーディング行列に基づいて、前記データ送信についてのプリコーディングを行うための手段
をさらに備えるＣ３４に記載の装置。
［Ｃ３７］
前記ＵＥから定期的に受信された前記ＣＱＩを平均するための手段をさらに備え、前記データ送信を送るための前記手段が、前記平均されたＣＱＩに基づいて前記データ送信を送るための手段を備える
Ｃ３４に記載の装置。
［Ｃ３８］
前記ＵＥによって選択されたランクを表すランクインジケータ（ＲＩ）を受信するための手段をさらに備え、前記データ送信を送るための前記手段が、前記データ送信のためのＬ個のデータパケットを送るための手段を備え、Ｌは前記選択されたランクに基づいて決定される
Ｃ３４に記載の装置。
【図１】
0005642782.tif 000014
【図２】
0005642782.tif 000015
【図３】
0005642782.tif 000016
【図４】
0005642782.tif 000017
【図５】
0005642782.tif 000018
【図６】
0005642782.tif 000019
【図７】
0005642782.tif 000020
【図８】
0005642782.tif 000021
【図９】
0005642782.tif 000022
【図１０】
0005642782.tif 000023